(57)【要約】【課題】背骨を水平に保つことが容易でない動物の背骨をほぼ水平に保つことができる四足動物用コルセット及びその装着方法を提供すること。【解決手段】四足動物の胸椎から肋骨、腰椎から脇腹及び骨盤にかけての部位を覆って硬く拘束してその部位の形状を保持するコルセット本体１０と、コルセット本体１０を前記四足動物に脱着自在に装着する脱着自在装着手段２０と、を有し、コルセット本体１０は熱可塑性樹脂板１２を備えることを特徴とする。【選択図】図３
2014064486.tif 000002
【特許請求の範囲】
【請求項１】
四足動物に装着される四足動物用コルセットであって、
四足動物の胸椎から肋骨、腰椎から脇腹及び骨盤にかけての部位を一体的に覆って保持するコルセット本体と、
前記コルセット本体を前記四足動物に脱着自在に装着する脱着自在装着手段と、を有し、
前記コルセット本体は前記四足動物の前記胸椎から肋骨、腰椎から脇腹及び骨盤にかけての部位を一体的に覆う熱可塑性樹脂板を備えることを特徴とする四足動物用コルセット。
【請求項２】
前記熱可塑性樹脂板は熱変形温度が４５℃〜９５℃の範囲の熱可塑性樹脂製である請求項１に記載の四足動物用コルセット。
【請求項３】
前記コルセット本体は防水材料製の袋状部材に前記熱可塑性樹脂板を挿入してなる請求項１又は２に記載の四足動物用コルセット。
【請求項４】
前記袋状部材は断熱性を有する請求項３に記載の四足動物用コルセット。
【請求項５】
前記袋状部材はクッション性を有する請求項３に記載の四足動物用コルセット。
【請求項６】
四足動物用コルセットの装着方法であって、
熱可塑性樹脂板を備えるコルセット本体を加熱する加熱ステップと、
前記加熱ステップで加熱されて熱変形可能になった前記コルセット本体を四足動物の胸椎から肋骨、腰椎から脇腹及び骨盤にかけての部位一体的に覆うように変形させる変形ステップと、
前記コルセット本体を常温に戻るまで前記変形ステップで変形された状態に保持する保持ステップと、を有することを特徴とする四足動物用コルセットの装着方法。
【請求項７】
前記熱可塑性樹脂板は熱変形温度が４５℃〜９５℃の範囲の熱可塑性樹脂製である請求項６に記載の四足動物用コルセットの装着方法。
【請求項８】
前記コルセット本体は防水材料製の袋状部材に前記熱可塑性樹脂板を挿入してなる請求項６又は７に記載の四足動物用コルセットの装着方法。
【請求項９】
前記袋状部材は断熱性を有する請求項８に記載の四足動物用コルセットの装着方法。
【請求項１０】
前記袋状部材はクッション性を有する請求項８に記載の四足動物用コルセットの装着方法。
【発明の詳細な説明】
【技術分野】
【０００１】
本発明は、四足歩行を行う動物（犬、猫、馬、牛等）の脊椎用コルセットに関する。
【背景技術】
【０００２】
四足歩行を行う動物の背骨には腹側に向けての荷重が係るので椎間板ヘルニアに罹り易い。特に、ダックスフントやコーギーなど、胴が長く足の短い犬種や、ゴールデンレッドリバーなど、体重の重い犬種は椎間板ヘルニアに罹り易い。
【０００３】
これまで、椎間板ヘルニアで後足が麻痺した犬の歩行動作を助ける動物用コルセットが提案されている（例えば、特許文献１参照。）。
【先行技術文献】
【特許文献】
【０００４】
【特許文献１】特開２００９−１５９９１７号公報
【発明の概要】
【発明が解決しようとする課題】
【０００５】
上記従来のコルセットは、背中に宛がうためのコルセット本体と、後足の付け根前方から内股側を通って臀部に回りコルセット本体の上面に固着されるベルトと、を備えている。このコルセットは、ベルトの先端を前方に引っ張った状態でコルセット本体に固着することにより、脊椎の動きを規制して歩行動作を助けるものである。
【０００６】
コルセット本体は、織布或いは不織布に金属或いはプラスチック製の棒状ステーを脊椎に平行になるように縫い付けたものであり、背骨及び背骨から延びる胸骨の周辺の筋肉（回旋筋、多裂筋、腹斜筋等）の拘束力が弱い。したがって、加齢により筋肉の衰えた動物や椎間板ヘルニアに罹患した動物或いは椎間板ヘルニアの手術によって脊椎の周辺の筋肉が損傷されて背骨をほぼ水平に保つことが困難な動物に適用しても、背骨を略水平に保持することができない。
【０００７】
本発明は、上記の問題点に鑑みてなされたものであり、その目的は、背骨を水平に保つことが容易でない動物の背骨をほぼ水平に保つことができる四足動物用コルセット及びその装着方法を提供することである。
【課題を解決するための手段】
【０００８】
上記の課題を解決するためになされた本発明の四足動物用コルセットは、四足動物の胸椎から肋骨、腰椎から脇腹及び骨盤にかけての部位を一体的に覆って保持するコルセット本体と、前記コルセット本体を前記四足動物に脱着自在に装着する脱着自在装着手段と、を有し、前記コルセット本体は前記四足動物の胸椎から肋骨、腰椎から脇腹及び骨盤にかけての部位を一体的に覆う熱可塑性樹脂板を備えることを特徴とする。
【０００９】
コルセット本体の熱可塑性樹脂板を加熱して軟化させ、四足動物の胸椎から肋骨、腰椎から脇腹及び骨盤にかけての部位を覆うように変形させてその形状をフリーズさせることができる。したがって、個体差があっても、胸椎から肋骨、腰椎から脇腹及び骨盤にかけての部位を硬く拘束して背骨をほぼ水平に保つことができる。
【００１０】
上記の四足動物用コルセットにおいて、前記熱可塑性樹脂板は熱変形温度が４５℃〜９５℃の範囲の熱可塑性樹脂製であるとよい。
【００１１】
装着直前に熱可塑性樹脂板を加熱して熱変形性を有するようにして四足動物に装着しても、やけどをすることがない。また、熱変形温度が４５℃以上であるので、装着後に体温等で変形することがない。
【００１２】
また、前記コルセット本体は防水材料製の袋状部材に前記熱可塑性樹脂板を挿入してなるとよい。
【００１３】
袋状部材に温水を注入して、熱可塑性樹脂板を加熱することができる。
【００１４】
また、前記袋状部材は断熱性を有するとよい。
【００１５】
加熱された熱可塑性樹種板の熱が動物に伝わり難くなるので、動物への装着が容易になる。
【００１６】
また、前記袋状部材はクッション性を有するとよい。
【００１７】
冷えて硬くなった熱可塑性樹脂板による動物の傷つき等が抑制される。
【００１８】
上記の課題を解決するためになされた本発明の四足動物用コルセットの装着方法は、熱可塑性樹脂板を備えるコルセット本体を加熱する加熱ステップと、前記加熱ステップで加熱されて熱変形可能になった前記コルセット本体を四足動物の胸椎から肋骨、腰椎から脇腹及び骨盤にかけての部位を一体的に覆うように変形させる変形ステップと、前記コルセット本体を常温に戻るまで前記変形ステップで変形された状態に保持する保持ステップと、を有することを特徴とする。
【００１９】
上記の四足動物用コルセットの装着方法において、前記熱可塑性樹脂板は熱変形温度が４５℃〜９５℃の範囲の熱可塑性樹脂製であるとよい。
【００２０】
また、前記コルセット本体は防水材料製の袋状部材に前記熱可塑性樹脂板を挿入してなるとよい。
【００２１】
また、前記袋状部材は断熱性を有するとよい。
【００２２】
また、前記袋状部材はクッション性を有するとよい。
【発明の効果】
【００２３】
コルセット本体の熱可塑性樹脂板を加熱して軟化させ、四足動物の胸椎から肋骨、腰椎から脇腹及び骨盤にかけての部位を一体的に覆うように変形させてその形状をフリーズさせることができる。したがって、個体差があっても、胸椎から肋骨、腰椎から脇腹及び骨盤にかけての部位を硬く拘束して背骨をほぼ水平に保つことができる。
【図面の簡単な説明】
【００２４】
【図１】本発明の実施形態１に係る四足動物用コルセットを表側から見た図である。
【図２】本発明の実施形態１に係る四足動物用コルセットを裏側から見た図である。
【図３】図１のＡ−Ａ線断面図である。
【図４】本発明の実施形態１に係る四足動物用コルセットを犬に装着した状態を示す側方視図である。
【図５】本発明の実施形態２に係る四足動物用コルセットを表側から見た図である。
【図６】本発明の実施形態２に係る四足動物用コルセットを裏側から見た図である。
【図７】図５のＡ2−Ａ2線断面図である。
【発明を実施するための形態】
【００２５】
（実施形態１）
本発明の実施形態１に係る四足動物用コルセットは、図１〜図４に示すように、四足動物の胸椎から肋骨、腰椎から脇腹及び骨盤にかけての部位を一体的に覆って保持するコルセット本体１０と、コルセット本体１０を四足動物に脱着自在に装着する脱着自在装着手段２０と、を有している。
【００２６】
コルセット本体１０は、略円盤状であり、２枚の防水性シート１１ａ、１１ｂの外周を結着した袋状部材１１と袋状部材１１に挿入された熱可塑性樹脂板１２とを備えている。防水性シート１１ｂには孔１３が形成されている。１１ｃは縁取りテープである。
【００２７】
熱可塑性樹脂板１２の熱可塑性樹脂としては、ＪＩＳＫ７２０６で規定される熱変形温度（１８．５ｋｇ／ｃｍ２）が４５℃〜９５℃の範囲の熱可塑性樹脂がよい。熱変形温度（１８．５ｋｇ／ｃｍ２）が４５℃〜９５℃の範囲の熱可塑性樹脂としては、ポリ塩化ビニル、ポリ塩化ビニリデン、高密度ポリエチレン、ポリプロピレン、変性アクリル、酢酸セルローズ、他を用いることができる。なお、本実施形態では熱可塑性樹脂板１２にサーモプラスチック板（オランダ、Ｔ−Ｔａｐｅ社製）を用いた。このサーモプラスチック板は、約７５℃で熱可塑性を示すので、取り扱いが容易である。
【００２８】
袋状部材１１を形成する防水性シート１１ａ、１１ｂに厚さ１ｍｍのネオプレンゴムシートを使用した。
【００２９】
脱着自在装着手段２０は、胴ベルト２１と首ベルト２２と左後足ベルト２３と右後足ベルト２４とを有している。
【００３０】
胴ベルト２１は、一端部がコルセット本体１０に固定された左側胴ベルト２１ａと一端部がコルセット本体１０に固定された右側胴ベルト２１ｂとを備えている。左側胴ベルト２１ａには面ファスナー２１ｃが、右側胴ベルト２１ｂには面ファスナー２１ｄがそれぞれ取り付けられている。２１ｅは縁取りテープである。
【００３１】
首ベルト２２は、一端部がコルセット本体１０の左前端部に固定された左側首ベルト２２ａと一端部がコルセット本体１０の右前端部に固定された右側首ベルト２２ｂと締結部材２２ｃとを備えている。
【００３２】
左後足ベルト２３は、一端部がコルセット本体１０の左端中央付近に固定された左側足ベルト２３ａと一端部がコルセット本体１０の左後端部に固定された左側足ベルト２３ｂと締結部材２３ｃとを備えている。
【００３３】
右後足ベルト２４は、一端部がコルセット本体１０の右端中央付近に固定された右側足ベルト２４ａと一端部がコルセット本体１０の右後端部に固定された右側足ベルト２４ｂと締結部材２４ｃとを備えている。
【００３４】
次に、本実施形態の四足動物用コルセットを犬（人形）３０に装着する方法を説明する。先ず、締結部材２２ｃを操作して左側首ベルト２２ａと右側首ベルト２２ｂとを分離する。同様に締結部材２３ｃ、２４ｃをそれぞれ操作して、左側足ベルト２３ａと左側足ベルト２３ｂとを分離し、右側足ベルト２４ａと右側足ベルト２４ｂとを分離する。
【００３５】
その後、コルセット本体１０の前端部を手で持って、孔１３から約８０℃の温水を袋状部材１１に注入して熱可塑性樹脂板１２を加熱する。
【００３６】
その後、熱可塑性樹脂板１２が可塑性を有してきたら、孔１３から温水を排出して、コルセット本体１０の中心線Ｌが犬３０の胸椎から腰椎、骨盤に沿うように四足動物用コルセットを犬３０の背中に載せる。
【００３７】
その後、コルセット本体１０が犬３０の胸椎から肋骨、腰椎から脇腹及び骨盤にかけての部位を覆うようにコルセット本体１０の両側端を矢印Ａ１（図３参照）方向に押し下げて、コルセット本体１０を湾曲させる。
【００３８】
その後、左側胴ベルト２１ａと右側胴ベルト２１ｂを、面ファスナー２１ｃと面ファスナー２１ｄを連結して腹側で連結する。なお、この時、コルセット本体１０と犬３０の胸椎から肋骨、腰椎から脇腹及び骨盤にかけての部位の間に隙間ができないように、連結するとよい。
【００３９】
その後、左側足ベルト２３ａを左後足３１の付け根前方部分を始点として、左後足３１の内股側を通し、左後足３１と尻尾３３の間から臀部へと回し、締結部材２３ｃで左側足ベルト２３ｂと連結する。
【００４０】
同様に、右側足ベルト２４ａを右後足３２の付け根前方部分を始点として、右後足３１の内股側を通し、右後足３２と尻尾３３の間から臀部へと回し、締結部材２４ｃで右側足ベルト２４ｂと連結する。
【００４１】
その後、首ベルト２２を犬３０の首の付け根に装着することで四足動物用コルセットの犬３０への装着が終了する。
【００４２】
装着が終了して、熱可塑性樹脂板１２の温度が下がると（本実施形態の場合、約４０℃以下に下がると）、犬３０の胸椎から肋骨、腰椎から脇腹及び骨盤にかけての部位を覆うように湾曲したコルセット本体１０は、その形状がフリーズされる。したがって、個体差があっても、胸椎から肋骨、腰椎から脇腹及び骨盤にかけての部位を硬く拘束して背骨をほぼ水平に保つことができる。
【００４３】
本実施形態の熱可塑性樹脂板（サーモプラスチック板）１２は、加熱されると粘着性を呈するので、熱可塑性樹脂板（サーモプラスチック板）１２が袋状部材１１に接着される。そのため、袋状部材１１に結合された胴ベルト２１でコルセット本体１０を緩みなく犬３０に装着することができる。
【００４４】
また、袋状部材１１を形成する防水性シート１１ａ、１１ｂに厚さ１ｍｍの断熱性、クッション性に優れたネオプレンゴムシートを使用したので、加熱された熱可塑性樹脂板１２の熱が動物に伝わり難くなり、温度が下がる前に動物へ装着することができる。また、冷えて硬くなった熱可塑性樹脂板１２による動物の傷つき等が抑制される。
【００４５】
犬種によって、四足動物用コルセットのサイズや形状が異なるが、犬種毎に設計製作すればよい。犬種が同じでもサイズが異なるが、Ｓサイズ、Ｍサイズ、Ｌサイズを用意すればよい。スリーサイズを用意しても、個体差あると、フィッテイング不良個所が生ずる場合があるが、当たる個所を鋏等で切り取ればよい。
【００４６】
（実施形態２）
実施形態２の四足動物用コルセットを図５〜図７に示す。本実施形態の四足動物用コルセットは、袋状部材１１が上端（前側）に開口部１３ａを備え、実施形態１における温水を注入する孔１３を無くした点が実施形態１の四足動物用コルセットと大きく異なる。
【００４７】
防水性のシートでできた袋状部材１１の開口部１３ａは、温水を注入する前は図５、図６に示すように、コルセット本体１０から前方に突出している。
【００４８】
また、コルセット本体１０の裏面に通気性素材１４が縫い付けてある点が異なる。さらに、左側胴ベルト２１ａと右側胴ベルト２１ｂを面ファスナーが直接係止できる素材で作った点が異なる。
【００４９】
次に、本実施形態の四足動物用コルセットを犬（人形）３０（図４参照。）に装着する方法を説明する。先ず、締結部材２２ｃを操作して左側首ベルト２２ａと右側首ベルト２２ｂとを分離する。同様に締結部材２３ｃ、２４ｃをそれぞれ操作して、左側足ベルト２３ａと左側足ベルト２３ｂとを分離し、右側足ベルト２４ａと右側足ベルト２４ｂとを分離する。
【００５０】
次に、コルセット本体１０の袋状部材１１の開口部１３ａを手で持って、開口部１３ａから約８０℃の温水を袋状部材１１に注入して熱可塑性樹脂板１２を加熱する。
【００５１】
次に、熱可塑性樹脂板１２が可塑性を有してきたら、開口部１３ａから温水を排出して、開口部１３ａを通気性素材１４の端部１４ａの位置で切り取る。その後、その切り口を粘着テープで封止する。
【００５２】
次に、コルセット本体１０の中心線Ｌが犬３０の胸椎から腰椎、骨盤に沿うように四足動物用コルセットを犬３０の背中に載せる。
【００５３】
次に、コルセット本体１０が犬３０の胸椎から肋骨、腰椎から脇腹及び骨盤にかけての部位を覆うようにコルセット本体１０の両側端を矢印Ａ１（図７参照）方向に押し下げて、コルセット本体１０を湾曲させる。
【００５４】
次に、左側胴ベルト２１ａと右側胴ベルト２１ｂを、面ファスナー２１ｄで連結して腹側で連結する。なお、この時、コルセット本体１０と犬３０の胸椎から肋骨、腰椎から脇腹及び骨盤にかけての部位の間に隙間ができないように、連結するとよい。
【００５５】
その後、左側足ベルト２３ａを左後足３１の付け根前方部分を始点として、左後足３１の内股側を通し、左後足３１と尻尾３３の間から臀部へと回し、締結部材２３ｃで左側足ベルト２３ｂと連結する。
【００５６】
同様に、右側足ベルト２４ａを右後足３２の付け根前方部分を始点として、右後足３１の内股側を通し、右後足３２と尻尾３３の間から臀部へと回し、締結部材２４ｃで右側足ベルト２４ｂと連結する。
【００５７】
その後、首ベルト２２を犬３０の首の付け根に装着することで四足動物用コルセットの犬３０への装着が終了する。
【００５８】
面ファスナー２１ｄは、右側胴ベルト２１ｂの任意の位置に移動係止できるので、胴回り異なる犬に適用することができる。例えば、胴回りの小さい犬に装着する場合、左側胴ベルト２１ａと右側胴ベルト２１ｂの両端が余分になるが、その部分を切り取ればよい。
【００５９】
また、犬３０の背中に通気性素材１４が接するので、蒸れたりすることが抑制される。
【符号の説明】
【００６０】
１０・・・・・・・コルセット本体
１１・・・・・・袋状部材
１２・・・・・・熱可塑性樹脂板
２０・・・・・・・脱着自在装着手段
【図１】
2014064486.tif 000003
【図２】
2014064486.tif 000004
【図３】
2014064486.tif 000005
【図４】
2014064486.tif 000006
【図５】
2014064486.tif 000007
【図６】
2014064486.tif 000008
【図７】
2014064486.tif 000009